(57)【要約】【課題】自由度の高い画像を撮影することができること。【解決手段】入力検出部９４は、入力部１８−２による撮像部１６−１の撮像範囲の入力を検出する。通信制御部９２は、この入力検出部９４によって検出された撮像範囲を撮像装置１に送信するよう通信部２１−２を制御する。撮像装置１は、通信制御部５３と、撮像制御部５５と、画像取得部５２と、を備える。通信制御部５３は、通信部２１−２によって送信された撮像範囲を通信部２１−１によって受信させるよう制御する。撮像制御部５５は、この通信部２１−１によって撮像範囲が受信されると、この撮像範囲で撮像するよう雲台部１７を制御して、撮像部１６−１に連続的に撮像する処理を開始させるよう制御する。画像取得部５２は、撮像制御部５５によって連続的に撮像された複数の合成用の画像を取得する。【選択図】図３
2015185913.tif 000002
【特許請求の範囲】
【請求項１】
表示手段と入力手段と第１の通信手段とを備えた制御装置と、撮像手段とこの撮像手段の撮像方向を変更する変更手段と第２の通信手段とを備えた撮像装置と、からなる撮影システムにおいて、
前記制御装置は、
前記入力手段による前記撮像手段の撮像範囲の入力を検出する検出手段と、
この検出手段によって検出された前記撮像範囲を前記撮像装置に送信するよう前記第１の通信手段を制御する第１の通信制御手段と、
を備え、
前記撮像装置は、
前記第１の通信手段によって送信された前記撮像範囲を前記第２の通信手段によって受信させるよう制御する第２の通信制御手段と、
この第２の通信手段によって前記撮像範囲が受信されると、この撮像範囲で撮像するよう前記変更手段を制御して、前記撮像手段に連続的に撮像する処理を開始させるよう制御する撮像制御手段と、
前記撮像制御手段によって連続的に撮像された複数の合成用の画像を取得する取得手段と、
を備えることを特徴とする撮像システム。
【請求項２】
前記制御装置は、
前記撮像手段によって前記撮像手段の撮像範囲の入力用に撮像され、前記第１の通信手段を介して取得した画像を前記表示手段に表示させるよう制御する表示制御手段と、
前記入力手段は、この表示制御手段によって前記表示手段に前記画像が表示されているときに前記撮像範囲を入力する、
ことを特徴とする請求項１に記載の撮影システム。
【請求項３】
前記表示制御手段は、前記撮像装置が撮像可能な範囲と画像とを比較可能に表示させるよう前記表示手段を制御する、
ことを特徴とする請求項２に記載の撮影システム。
【請求項４】
前記取得手段によって取得された前記複数の合成用の画像を合成して、合成画像を生成する合成手段を、前記撮像装置又は前記制御装置に備えること、
ことを特徴とする請求項１乃至３のいずれか１項に記載の撮影システム。
【請求項５】
前記第２の通信手段は、前記合成手段を前記撮像装置に備えていた場合に、合成された画像を前記制御装置へ送信するよう第２の通信手段を制御する、
ことを特徴とする請求項４に記載の撮影システム。
【請求項６】
前記第２の通信手段は、前記合成手段によって合成された画像を縮小して送信するよう第２の通信手段を制御する、
ことを特徴とする請求項５に記載の撮影システム。
【請求項７】
前記表示手段及び前記入力手段は、タッチパネルにより構成される、
ことを特徴とする請求項１乃至６のいずれか１項に記載の撮影システム。
【請求項８】
前記撮像手段は、インターバル撮影を行うこと、
を特徴とする請求項１乃至７のいずれか１項に記載の撮影システム。
【請求項９】
表示手段と入力手段と第１の通信手段とを備えた制御装置と、撮像手段とこの撮像手段の撮像方向を変更する変更手段と第２の通信手段とを備えた撮像装置と、からなる撮影システムで実行される撮影方法であって、
前記制御装置では、
前記入力手段による前記撮像手段の撮像範囲の入力を検出する検出ステップと、
この検出ステップによって検出された前記撮像範囲を前記撮像装置に送信するよう前記第１の通信手段を制御する第１の通信制御ステップと、
を含む、
前記撮像装置では、
前記第１の通信手段によって送信された前記撮像範囲を前記第２の通信手段によって受信させるよう制御する第２の通信制御ステップと、
この第２の通信手段によって前記撮像範囲が受信されると、この撮像範囲で撮像するよう前記変更手段を制御して、前記撮像手段に連続的に撮像する処理を開始させるよう制御する撮像制御ステップと、
前記撮像制御ステップによって連続的に撮像された複数の合成用の画像を取得する取得ステップと、
を含むことを特徴とする撮像方法。
【請求項１０】
表示手段と入力手段と第１の通信手段とを備えた制御装置と、撮像手段とこの撮像手段の撮像方向を変更する変更手段と第２の通信手段とを備えた撮像装置を制御するコンピュータを、
前記制御装置においては、
前記入力手段による前記撮像手段の撮像範囲の入力を検出する検出手段、
この検出手段によって検出された前記撮像範囲を前記撮像装置に送信するよう前記第１の通信手段を制御する第１の通信制御手段、
として機能させ、
前記撮像装置においては、
前記第１の通信手段によって送信された前記撮像範囲を前記第２の通信手段によって受信させるよう制御する第２の通信制御手段、
この第２の通信手段によって前記撮像範囲が受信されると、この撮像範囲で撮像するよう前記変更手段を制御して、前記撮像手段に連続的に撮像する処理を開始させるよう制御する撮像制御手段、
前記撮像制御手段によって連続的に撮像された複数の合成用の画像を取得する取得手段、
として機能させることを特徴とするプログラム。
【発明の詳細な説明】
【技術分野】
【０００１】
本発明は、撮影システム、撮影方法及びプログラムに関する。
【背景技術】
【０００２】
従来より、カメラを遠隔操作し、撮影する方法が知られている。この種のカメラは、パン、チルトなど画角の調節が可能な雲台上に設置されることで、ズームだけでなく、所望の画角を撮影することが可能になっている。
また、近年では、パンしながら連写し、連写した画像を合成することでパノラマ画像や超広角の画像を生成する技術が知られている（特許文献１を参照）。
【先行技術文献】
【特許文献】
【０００３】
【特許文献１】特開２０１３−１７２４３４号公報
【発明の概要】
【発明が解決しようとする課題】
【０００４】
しかしながら、上述したような特許文献１に記載の技術では、遠隔操作して撮影する場合、撮影範囲は撮影前に固定的に設置される雲台の位置や撮影方向に制限され、自由度があまりないという問題がある。
【０００５】
本発明は、このような状況に鑑みてなされたものであり、自由度の高い画像を撮影することができることを目的とする。
【課題を解決するための手段】
【０００６】
上記目的を達成するため、本発明の一態様の撮像システムは、
表示手段と入力手段と第１の通信手段とを備えた制御装置と、撮像手段とこの撮像手段の撮像方向を変更する変更手段と第２の通信手段とを備えた撮像装置と、からなる撮影システムにおいて、
前記制御装置は、
前記入力手段による前記撮像手段の撮像範囲の入力を検出する検出手段と、
この検出手段によって検出された前記撮像範囲を前記撮像装置に送信するよう前記第１の通信手段を制御する第１の通信制御手段と、
を備え、
前記撮像装置は、
前記第１の通信手段によって送信された前記撮像範囲を前記第２の通信手段によって受信させるよう制御する第２の通信制御手段と、
この第２の通信手段によって前記撮像範囲が受信されると、この撮像範囲で撮像するよう前記変更手段を制御して、前記撮像手段に連続的に撮像する処理を開始させるよう制御する撮像制御手段と、
前記撮像制御手段によって連続的に撮像された複数の合成用の画像を取得する取得手段と、
を備えることを特徴とする。
【発明の効果】
【０００７】
本発明によれば、自由度の高い画像を撮影することができる。
【図面の簡単な説明】
【０００８】
【図１】本発明の一実施形態に係る撮影システムを説明するための図である。
【図２】本発明の一実施形態に係る撮影システムのうち、撮像装置及び撮像制御装置のハードウェアの構成を示すブロック図である。
【図３】図２の撮像装置及び撮像制御装置の機能的構成のうち、撮影処理及び撮影制御処理を実行するための機能的構成を示す機能ブロック図である。
【図４】撮影スケジュールを説明するための図である。
【図５】図３の機能的構成を有する図２の撮像装置及び撮像制御装置が実行する撮影処理及び撮像制御処理の流れを説明するフローチャートである。
【発明を実施するための形態】
【０００９】
以下、本発明の実施形態について、図面を用いて説明する。
【００１０】
図１は、本発明の一実施形態に係る撮影システムＳを説明するための図である。
【００１１】
撮影システムＳは、図１（ａ）に示すように、撮像装置１と、撮像制御装置２と、を備える。
【００１２】
撮像装置１は、撮像制御装置２と通信可能に構成され、撮像制御装置２からの撮影手順に則って、撮影動作を行うように構成される。
また、撮像装置１は、撮像を行う撮像手段（本実施形態においては、後に詳述する撮像部１６）と撮影時に撮影範囲を変更可能な位置変更手段（本実施形態においては、後に詳述する雲台部１７）を備える。
したがって、撮像装置１においては、撮像制御装置２により設定された制御に基づいて、撮像装置１における撮像範囲の変更が行われて、画像が取得されることとなる。
【００１３】
撮像装置１における撮像範囲の変更は、位置変更手段としての雲台部１７により行われるが、具体的には、撮像装置１を平面視した図１（ｂ）に示すように、雲台部１７がパン方向に回転可能に構成され、撮像装置１の水平方向の向きが変更可能であり、水平（左右）方向の撮影範囲を変更することができる。また、撮像装置１を側面視した図１（ｃ）に示すように、雲台部１７がチルト方向に回転可能に構成され、撮像装置１の上下方向の向きが変更可能であり、上下方向の撮影範囲を変更することができる。
【００１４】
撮像制御装置２は、撮像装置１と通信可能に構成され、例えば、撮影範囲の変更の手順等の撮像装置１における撮影の手順を設定することができる。これにより、撮像装置１での撮影パターンを設定することができ、所望のアングルで順番通りに撮影を行うことができる。
【００１５】
これにより、撮影システムＳにおいては、撮像制御装置２によって予め設定された手順に従って、撮像装置１では撮影範囲を変更して撮影を行うことができ、自由度の高い画像を取得することができる。
【００１６】
なお、本実施形態においては、撮影範囲の変更に伴い、複数の画像を所定のタイミングで取得するように構成するが、当該取得した複数の画像を合成して、１枚の広角な合成画像を生成するように構成する。
【００１７】
図２は、本発明の一実施形態に係る撮影システムＳのうち、撮像装置１及び撮像制御装置２のハードウェアの構成を示すブロック図である。
【００１８】
まず、本発明の一実施形態に係る撮影システムＳのうち、撮像装置１及び撮像制御装置２のハードウェアの構成について説明する。
撮像装置１は、例えばデジタルカメラとして構成される。
【００１９】
撮像装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、雲台部１７と、入力部１８と、表示部１９と、記憶部２０と、通信部２１と、ドライブ２２と、を備えている。
【００２０】
ＣＰＵ１１は、ＲＯＭ１２に記録されているプログラム、又は、記憶部２０からＲＡＭ１３にロードされたプログラムに従って各種の処理を実行する。
【００２１】
ＲＡＭ１３には、ＣＰＵ１１が各種の処理を実行する上において必要なデータ等も適宜記憶される。
【００２２】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、雲台部１７、入力部１８、表示部１９、記憶部２０、通信部２１及びドライブ２２が接続されている。
【００２３】
撮像部１６は、図示はしないが、光学レンズ部と、イメージセンサと、を備えている。
【００２４】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００２５】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮像画像のデータ」と呼ぶ。撮像画像のデータは、ＣＰＵ１１に適宜供給される。
【００２６】
雲台部１７は、駆動モータを有し、撮像装置１の向きを変更可能に構成される。具体的には、図１（ｂ）及び図１（ｃ）に示すように、水平方向及び上下方向に撮像装置１の向きを変更可能に構成される。
また、雲台部１７は、リアルタイムに方向を変更可能に構成される他、設定された手順で方向を変更することができるように構成される。
【００２７】
入力部１８は、例えば、表示部１９の表示領域に積層される静電容量式又は抵抗膜式の位置入力センサにより構成され、ユーザのタッチ操作に応じて各種情報を入力する。ここで、タッチ操作とは、入力部１８に対する物体（ユーザの指やタッチペン等）の接触又は近接の操作をいう。
【００２８】
表示部１９は、ディスプレイにより構成され、各種画像を表示する。
即ち、本実施形態では、入力部１８と表示部１９とにより、タッチパネルが構成されている。
【００２９】
記憶部２０は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
【００３０】
通信部２１は、インターネットを含むネットワークを介して他の装置（図示せず）との間で行う通信を制御する。
【００３１】
ドライブ２２には、磁気ディスク、光ディスク、光磁気ディスク、或いは半導体メモリ等よりなる、リムーバブルメディア３１が適宜装着される。ドライブ２２によってリムーバブルメディア３１から読み出されたプログラムは、必要に応じて記憶部２０にインストールされる。また、リムーバブルメディア３１は、記憶部２０に記憶されている画像のデータ等の各種データも、記憶部２０と同様に記憶することができる。
【００３２】
次に、本発明の一実施形態に係る撮影システムＳのうち、撮像制御装置２のハードウェアの構成について説明する。
撮像制御装置２は、例えばスマートフォンとして構成される。
【００３３】
なお、撮像制御装置２は、基本的なハードウェア構成は、撮像装置１と同様であるため説明を省略する。即ち、撮像制御装置２は、雲台部１７を除く、ＣＰＵ１１乃至撮像部１６と、入力部１８乃至リムーバブルメディア３１と、を備える。また、以下において、撮像装置１と撮像制御装置２との説明を分ける場合には、符号の後段に撮像装置１の構成である場合には、「−１」を付し、撮像制御装置２である場合には、「−２」を付すものとする。
【００３４】
図３は、このような撮像装置１及び撮像制御装置２の機能的構成のうち、撮影処理及び撮影制御処理を実行するための機能的構成を示す機能ブロック図である。
【００３５】
まず、撮像装置１の機能的構成のうち、撮影処理を実行するための機能的構成に付いて説明する。
撮影処理とは、撮像制御装置２によって設定された撮影スケジュールに則って、連続的に複数枚の撮影を行い、取得した画像を合成して広角な合成画像（以下、「広角画像」という。）を生成する一連の処理をいう。
【００３６】
撮像装置１で撮影処理を実行する場合には、図３に示すように、ＣＰＵ１１−１において、指示検出部５１と、画像取得部５２と、通信制御部５３と、撮影管理部５４と、撮像制御部５５と、画像処理部５６と、が機能する。
【００３７】
また、記憶部２０−１の一領域には、撮影制御情報記憶部７１と、画像記憶部７２と、が設定される。
【００３８】
撮影制御情報記憶部７１には、撮像制御装置２から送信された雲台部１７の移動軌跡からなる撮影時の雲台部１７の撮影範囲の変更等の撮影スケジュールの情報（以下、「撮影スケジュール情報」）情報として記憶される。
【００３９】
画像記憶部７２には、撮影スケジュール情報に基づいて、撮像部１６により連続的に複数枚撮影された画像や、当該複数枚撮影された画像を合成した画像（以下、「合成画像」という。）等の画像のデータを記憶する。
【００４０】
指示検出部５１は、撮像制御装置２から出力された撮影スケジュールを決定するために用いるスルー画像（ライブビュー）の送信指示や、撮影スケジュールに基づいて撮影を行う旨の撮影開始指示を検出する。
【００４１】
画像取得部５２は、撮像部１６から出力されたスルー画像や、撮影スケジュールに基づいて撮影された撮像画像等の各種画像を取得する。
【００４２】
通信制御部５３は、画像取得部５２によって取得されたスルー画像や、画像処理部５６によって生成された合成画像を縮小した画像（以下、「縮小画像」という。）を撮像制御装置２に送信するように通信部２１−１を制御する。
また、通信制御部５３は、撮像制御装置２から送信される雲台部１７を移動させるための情報（以下、「移動情報」という。）や、撮影スケジュールに基づいて撮影を行う旨の撮影開始指示を受信するように通信部２１−１を制御する。
【００４３】
撮影管理部５４は、撮像制御装置２から送信される移動情報に基づいて、移動させるように雲台部１７を制御する。
撮影管理部５４は、撮像制御装置２から送信される撮影スケジュール情報を撮影制御情報記憶部７１に記憶させる。
【００４４】
撮像制御部５５は、撮影制御情報記憶部７１に記憶される撮影スケジュール情報に基づいて、移動するように雲台部１７を駆動制御し、連続的に撮像を行うように撮像部１６を制御する。
【００４５】
画像処理部５６は、取得した連続的に撮影された複数の画像を撮影方向に準じて合成して合成画像を生成する。
また、画像処理部５６は、生成した合成画像を縮小処理して縮小画像を生成する。
【００４６】
次に、図２の撮像制御装置２の機能的構成のうち、撮影制御処理を実行するための機能的構成について説明する。
撮影制御処理とは、撮像装置１から取得したスルー画像に基づいて、撮像装置１における撮影スケジュールを決定し、当該決定した撮像スケジュールに基づいて、撮影を開始させる一連の処理をいう。
【００４７】
撮像制御装置２で撮影制御処理を実行する場合には、ＣＰＵ１１−２において、表示制御部９１と、通信制御部９２と、移動軌跡情報生成部９３と、入力検出部９４と、記憶制御部９５と、が機能する。
【００４８】
また、記憶部２０−２の一領域には、画像記憶部１１１と、が設定される。
画像記憶部１１１には、撮像装置１から送信された縮小画像のデータが記憶される。
【００４９】
表示制御部９１は、撮影スケジュールを決定するための画面にガイド表示（撮像可能範囲の枠等の表示）を行うように表示部１９を制御する。また、表示制御部９１は、ガイド表示として撮像可能範囲の枠内に現在の撮影範囲を示すスルー画像を表示するように表示部１９を制御する。
本実施形態において、撮像装置１の撮影は、撮影スケジュールに則って行われる。
【００５０】
ここで、撮影スケジュールの設定について説明する。
撮影スケジュールは、雲台部１７の移動軌跡を予め決めておくことで設定する。本実施形態においては、撮影範囲から雲台部１７の移動軌跡を決めることで、撮影スケジュールを設定する。即ち、本実施形態においては、雲台部１７の可動範囲に対応する最大の撮影範囲内で、どの部分を撮影するかを撮影範囲の変更の軌跡を含めて決定することで、撮影スケジュールの設定をする。
【００５１】
図４は、撮影スケジュールを説明するための図である。
撮像装置１における撮影スケジュールは、本実施形態においては、図４（ａ）に示すように、撮像制御装置２のタッチパネル（入力部１８及び表示部１９）に表示されるガイド表示画面に対してタッチ操作を行って設定をする。
【００５２】
ガイド表示画面では、雲台部１７の可動範囲に対応する最大の撮像範囲領域を領域枠Ｒ１として表示する。そして、撮像装置１の現在位置で表示されるスルー画像の縮小画像Ｇ１を領域枠Ｒ１における位置に一致させて表示する。本実施形態においては、設定画面の起動時には、撮像装置１は、チルト移動もパン移動もさせていない初期位置であるため、縮小画像Ｇ１は、領域枠Ｒ１の中央に表示される。即ち、撮像装置１は、領域枠Ｒ１を撮影範囲の最大領域として、上下方向及び左右方向に撮影範囲を変更することができることを意味する。
【００５３】
このように表示されるガイド表示画面において、スルー画像の縮小画像Ｇ１に対して、ピンチアウトの操作を行うことで、撮像範囲の拡大、即ち、ズームの操作を行うことができ、縮小画像は画像の大きさに対応したズームのスルー画像の縮小画像Ｇ２が表示される。
【００５４】
また、スルー画像の縮小画像Ｇ１をタッチした状態で移動させることで、移動先のスルー画像の縮小画像Ｇ３が表示される。雲台部１７の移動軌跡は、スルー画像の縮小画像を移動させることで、決定する。
【００５５】
例えば、図４（ｂ）に示すように、スルー画像の縮小画像をタッチした状態で、第１の方向［１］から第５の方向［５］に移動させることで、当該移動軌跡で雲台部１７を駆動する撮影スケジュールが設定される。そして、当該移動軌跡となるように撮影スケジュールが実行されて撮影が行われて、結果として、図４（ｃ）に示すように、当該移動軌跡に対応した撮影領域を連続的に撮影した画像（１）乃至（９）が取得される。最終的には、本実施形態においては、画像（１）乃至（９）を合成して広角の画像を１枚生成することになる。
【００５６】
また、上述したようなタッチ操作による設定の他に、領域枠Ｒ１の下方に表示されるコントローラアイコンＩＣ１をタッチすることにより、縮小画像Ｇ１を移動させて、当該移動軌跡を撮影範囲の変更の制御に用いることができる。この際、例えば、コントローラアイコンＩＣ１の右側にある撮影ボタンアイコンＩＣ２を、縮小画像Ｇ１が撮影を行いたい位置に来たときにタッチすることで、当該タッチした場所で撮影を行うように設定することもできる。
【００５７】
設定後に、撮像装置１における撮影開始の操作を行うことで、撮像装置１では、設定時のタッチの操作のスピードや軌跡を再現しながら、撮影範囲の変更を行いながら、所定のタイミングで撮影を行う。
【００５８】
このように、撮影範囲の最大領域を領域枠Ｒ１で示し、実際にスルー画像の縮小画像Ｇ１を表示させながら、撮影範囲の変更や撮影のタイミングを設定させることで、ユーザは、より直感的に設定操作を行うことができると共に、取得できる画像のイメージを想起しやすくなる。
【００５９】
図３に戻り、表示制御部９１は、縮小画像を表示させるように表示部１９−２を制御する。
【００６０】
通信制御部９２は、撮像装置１が現在取得しているスルー画像を送信する指示（以下、「画像送信指示」という。）や撮像開始の指示等の各種指示を送信するように通信部２１−２を制御する。
また、通信制御部９２は、スルー画像等の各種画像を受信するように通信部２１−２を制御する。
また、通信制御部９２は、移動情報やスケジュール情報の各種情報を送信するように通信部２１−２を制御する。
【００６１】
移動軌跡情報生成部９３は、撮像可能領域枠内のタッチ位置に相当する雲台部１７の移動の情報である移動情報を生成する。
また、移動軌跡情報生成部９３は、撮像可能領域枠内のタッチの軌跡に相当する雲台部１７の移動の軌跡の情報である撮影スケジュール情報を生成する。
【００６２】
入力検出部９４は、例えば、タッチパネルを構成する入力部１８−２への入力操作等の入力を検出する。
【００６３】
記憶制御部９５は、撮像装置１から受信した縮小画像を記憶させるように画像記憶部１１１を制御する。
【００６４】
図５は、図３の機能的構成を有する図２の撮像装置１及び撮像制御装置２が実行する撮影処理及び撮像制御処理の流れを説明するフローチャートである。
【００６５】
まず、図３の機能的構成を有する図２の撮像装置１が実行する撮影処理の流れを説明する。
撮影処理は、ユーザによる入力部１８への撮影処理開始の操作により開始される。その後、撮像部１６において撮像が行われ、画像取得部５２によりスルー画像が取得される。
【００６６】
ステップＳ１１において、指示検出部５１は、撮像制御装置２からの画像送信指示を検出したか否かを判定する。即ち、指示検出部５１は、撮像制御装置２からの画像送信指示を、通信部２１−１を介して受信したか否かを判定する。
画像送信指示を検出しない場合には、ステップＳ１１においてＮＯと判定されて、撮影処理は終了する。
画像送信指示を検出した場合には、ステップＳ１１においてＹＥＳと判定されて、処理はステップＳ１２に進む。
【００６７】
ステップＳ１２において、通信制御部５３は、スルー画像を送信する。即ち、通信制御部５３は、画像送信指示があった時点の画像取得部５２により取得されたスルー画像を送信するように通信部２１−１を制御する。
【００６８】
ステップＳ１３において、指示検出部５１は、雲台部１７の移動指示を検出したか否かを判定する。即ち、指示検出部５１は、撮像制御装置２からの移動指示を、通信部２１−１を介して受信したか否かを判定する。
雲台部１７の移動指示を検出していない場合には、ステップＳ１３においてＮＯと判定されて、処理はステップＳ１２に戻る。
雲台部１７の移動指示を検出した場合には、ステップＳ１３においてＹＥＳと判定されて、処理はステップＳ１４に進む。
【００６９】
ステップＳ１４において、撮影管理部５４は、スルー画像を取得しつつ、雲台部１７を制御する。即ち、撮影管理部５４は、画像取得部５２によるスルー画像の取得を続けさせながら、撮像制御装置２から送信された移動情報に基づいて、移動させるように雲台部１７を制御する。
【００７０】
ステップＳ１５において、通信制御部５３は、スルー画像を送信するように通信部２１−１を制御する。
【００７１】
ステップＳ１６において、撮影管理部５４は、撮影スケジュール情報を、通信部２１−１を介して受信し、当該撮影スケジュール情報を撮影制御情報記憶部７１に記憶させる。
【００７２】
ステップＳ１７において、指示検出部５１は、撮像開始指示を、検出したか否かを判定する。即ち、指示検出部５１は、撮像制御装置２からの撮像開始指示を、通信部２１−１を介して受信したか否かを判定する。
撮像開始指示を検出しない場合には、ステップＳ１７においてＮＯと判定されて、撮影処理は終了する。
撮像開始指示を検出した場合には、ステップＳ１７においてＹＥＳと判定されて、処理はステップＳ１８に進む。
【００７３】
ステップＳ１８において、撮像制御部５５は、撮影スケジュールに基づいて、移動させるように雲台部１７を制御し、その間に連写をするように撮像部１６を制御する。連写により取得した複数の撮像画像は、画像記憶部７２に記憶される。
【００７４】
ステップＳ１９において、画像処理部５６は、連写により取得した複数の撮像画像を合成し、広角画像を生成する。即ち、画像処理部５６は、撮影スケジュールに対応する移動方向順に、複数の撮像画像を合成して、１枚の広角画像を生成する。その後、生成した広角画像は、画像記憶部７２に記憶される。
【００７５】
ステップＳ２０において、画像処理部５６及び通信制御部５３は、生成した広角画像を縮小処理して、撮像制御装置２に送信する。即ち、画像処理部５６は、広角画像に縮小処理を施して、縮小画像を生成する。そして、通信制御部５３は、生成した縮小画像を撮像制御装置２に送信するように通信部２１−１を制御する。
その後、撮影処理は、終了する。
【００７６】
次に、図３の機能的構成を有する図２の撮像制御装置２が実行する撮影制御処理の流れを説明する。
撮影制御処理は、ユーザによる入力部１８−２への撮影制御処理開始の操作により開始される。
【００７７】
ステップＳ３１において、表示制御部９１は、ガイド表示として撮像可能範囲枠を表示するように表示部１９−２を制御する。その結果、表示部１９−２には、図４（ａ）の例に示すような撮像可能範囲枠Ｒ１を含むガイド表示が行われる。
【００７８】
ステップＳ３２において、通信制御部９２は、画像送信指示を送信するように通信部２１−２を制御する。
【００７９】
ステップＳ３３において、表示制御部９１は、撮像可能範囲枠とともに、枠の中心に撮像装置１から取得したスルー画像を表示するように表示部１９−２を制御する。その結果、表示部１９−２には、図４（ａ）の例に示すように撮像可能範囲枠Ｒ１の中心にスルー画像Ｇ１の表示が行われる。
【００８０】
ステップＳ３４において、通信制御部９２は、タッチした位置に相応する移動情報を含む移動指示を送信するように通信部２１−２を制御する。即ち、入力検出部９４は、撮像可能範囲の枠内におけるタッチの位置を検出する。そして、移動軌跡情報生成部９３は、入力検出部９４のタッチ位置の検出結果に基づいて、タッチした位置に相応する雲台部１７の移動情報を生成する。その後、通信制御部９２は、生成した移動情報を含み、雲台部１７を移動させる旨の移動指示を送信するように通信部２１−２を制御する。
具体的には、例えば、図４（ａ）に示すように、スルー画像をタッチ操作して、スルー画像Ｇ３の位置に移動させた場合に、当該タッチ位置に相応する移動情報を撮像装置１に送信する。
【００８１】
ステップＳ３５において、表示制御部９１は、撮像可能範囲枠とともに、移動した位置のスルー画像を表示する。即ち、表示制御部９１は、撮像装置１から送信された取得した移動後のスルー画像を表示させるように表示部１９−２を制御する。その結果、表示部１９−２では、図４（ａ）に示すように、スルー画像をタッチ操作して、スルー画像Ｇ３の位置に移動させた場合に、当該スルー画像Ｇ３の位置に雲台部１７を移動させた状態で取得したスルー画像が表示される。
【００８２】
ステップＳ３６において、入力検出部９４は、移動内容の確定を検出したか否かを判定する。移動内容の確定は、タッチ操作を解除したり、元の位置に戻るような操作をしたり、確定するボタン等を押したりすることで行われる。
移動内容の確定を検出しない場合には、ステップＳ３６においてＮＯと判定されて、処理はステップＳ３４に戻る。
移動内容の確定を検出した場合には、ステップＳ３６においてＹＥＳと判定されて、処理はステップＳ３７に進む。移動内容の確定を検出した場合には、その後、移動軌跡情報生成部９３により、撮影スケジュール情報が生成される。
【００８３】
ステップＳ３７において、通信制御部９２は、移動軌跡情報生成部９３によって生成された撮影スケジュール情報を送信するように通信部２１−２を制御する。
【００８４】
ステップＳ３８において、入力検出部９４は、シャッタ操作を検出したか否かを判定する。
シャッタ操作を検出しない場合には、ステップＳ３８においてＮＯと判定されて、処理はステップＳ３４に戻る。
シャッタ操作を検出した場合には、ステップＳ３８においてＹＥＳと判定されて、処理はステップＳ３９に進む。
【００８５】
ステップＳ３９において、通信制御部９２は、シャッタ操作を検出したことにより、撮影開始指示を送信するように通信部２１−２を制御する。
【００８６】
ステップＳ４０において、通信制御部９２及び表示制御部９１は、縮小画像を受信し、当該縮小画像を表示する。即ち、表示制御部９１は、撮像制御装置２から縮小画像を、通信部２１−２を介して受信した場合に、当該縮小画像を表示させるように表示部１９−２を制御する。そして、記憶制御部９５は、縮小画像を記憶するように画像記憶部１１１を制御する。
その後、撮像制御処理は、終了する。
【００８７】
したがって、撮影方向を変更させて撮影できる撮像装置１と撮像制御装置２からなる撮像システムＳにおいて、撮像制御装置２側にて、広角画像を生成するために操作した内容を撮影方向の変更内容として送信し、その後、記録指示を送信すると、変更内容に沿って撮影方向を移動させつつ連写し、合成して広角画像を生成することができる。
【００８８】
以上のように構成される撮影システムＳは、表示部１９−２と入力部１８−２と通信部２１−２とを備えた撮像制御装置２と、撮像部１６−１とこの撮像部１６−１の撮像方向を変更する雲台部１７と通信部２１−１とを備えた撮像装置１からなる。
撮像制御装置２は、入力検出部９４と、通信制御部９２と、を備える。
入力検出部９４は、入力部１８−２による撮像部１６−１の撮像範囲の入力を検出する。
通信制御部９２は、この入力検出部９４によって検出された撮像範囲を撮像装置１に送信するよう通信部２１−２を制御する。
撮像装置１は、通信制御部５３と、撮像制御部５５と、画像取得部５２と、を備える。
通信制御部５３は、通信部２１−２によって送信された撮像範囲を通信部２１−１によって受信させるよう制御する。
撮像制御部５５は、この通信部２１−１によって撮像範囲が受信されると、この撮像範囲で撮像するよう雲台部１７を制御して、撮像部１６−１に連続的に撮像する処理を開始させるよう制御する。
画像取得部５２は、撮像制御部５５によって連続的に撮像された複数の合成用の画像を取得する。
これにより、撮影システムＳにおいては、撮像範囲で撮像するよう雲台部１７を制御して、撮像部１６−１に連続的に撮像するため、自由度の高い画像を撮影することができる。
【００８９】
撮像制御装置２は、表示制御部９１を備える。
表示制御部９１は、撮像部１６−１によって撮像部１６−１の撮像範囲の入力用に撮像され、通信部２１−２を介して取得した画像を表示部１９−２に表示させるよう制御する。
入力部１８−２は、この表示制御部９１によって表示部１９−２に画像が表示されているときに撮像範囲を入力する。
これにより、撮影システムＳにおいては、撮像範囲の入力用に撮像された画像を表示するために、ユーザが撮像範囲の入力を容易に行うことができる。
【００９０】
表示制御部９１は、撮像装置１が撮像可能な範囲と、画像とを比較可能に表示させるよう表示部１９−２を制御する。
これにより、撮影システムＳにおいては、撮像可能な範囲と、撮像範囲の入力用に撮像された画像とを比較可能に表示させるために、ユーザは撮像可能な範囲を容易に把握することができるとともに、現在の撮影位置との関係で、撮影のスケジュールが立てやすくなる。
【００９１】
また、画像取得部５２によって取得された複数の合成用の画像を合成して、合成画像を生成する画像処理部５６を、撮像装置１に備える。
これにより、撮影システムＳにおいては、通常の撮影では得ることができない広角な画像を取得することができる。
【００９２】
通信制御部５３は、画像処理部５６を撮像装置１に備えていた場合に、合成された画像を撮像制御装置２へ送信する。
これにより、撮影システムＳにおいては、合成された画像を撮像制御装置２で表示させたり、保存したりすることができる。
【００９３】
通信制御部５３は、画像処理部５６によって合成された画像を縮小して送信する。
これにより、撮影システムＳにおいては、撮像装置１から合成された画像が縮小して送信されるために、撮像制御装置２において確認用等にサイズの小さい画像を取得することができる。
【００９４】
表示部１９−２及び入力部１８−２は、タッチパネルにより構成される。
これにより、撮影システムＳにおいては、タッチパネルにより構成されるために、直感的に撮影範囲を入力することができる。
【００９５】
なお、本発明は、上述の実施形態に限定されるものではなく、本発明の目的を達成できる範囲での変形、改良等は本発明に含まれるものである。
【００９６】
上述の実施形態では、撮影スケジュールに則って、連写するように構成したが、撮影は連写に限られず、指定した箇所で行うように構成してもよく、また、所定の間隔で撮影するインターバル撮影により行うように構成してもよい。
具体的には、撮像部１６は、インターバル撮影を行うように構成することができる。
【００９７】
また、上述の実施形態では、画像の合成を撮像装置１において行うように構成したが、撮像制御装置２で行うように構成してもよい。
具体的には、画像取得部５２によって取得された複数の合成用の画像を合成して、合成画像を生成する合成手段を、撮像制御装置２に備えるように構成することができる。
【００９８】
また、上述の実施形態では、本発明が適用される撮像装置１は、デジタルカメラを例として説明したが、特にこれに限定されない。
例えば、本発明は、撮影機能及び撮影制御機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００９９】
上述した一連の処理は、ハードウェアにより実行させることもできるし、ソフトウェアにより実行させることもできる。
換言すると、図３の機能的構成は例示に過ぎず、特に限定されない。即ち、上述した一連の処理を全体として実行できる機能が撮像装置１に備えられていれば足り、この機能を実現するためにどのような機能ブロックを用いるのかは特に図３の例に限定されない。
また、１つの機能ブロックは、ハードウェア単体で構成してもよいし、ソフトウェア単体で構成してもよいし、それらの組み合わせで構成してもよい。
【０１００】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【０１０１】
このようなプログラムを含む記録媒体は、ユーザにプログラムを提供するために装置本体とは別に配布される図２のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２や、図２の記憶部２０に含まれるハードディスク等で構成される。
【０１０２】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段などより構成される全体的な装置を意味するものとする。
【０１０３】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【０１０４】
以下に、本願の出願当初の特許請求の範囲に記載された発明を付記する。
［付記１］
表示手段と入力手段と第１の通信手段とを備えた制御装置と、撮像手段とこの撮像手段の撮像方向を変更する変更手段と第２の通信手段とを備えた撮像装置と、からなる撮影システムにおいて、
前記制御装置は、
前記入力手段による前記撮像手段の撮像範囲の入力を検出する検出手段と、
この検出手段によって検出された前記撮像範囲を前記撮像装置に送信するよう前記第１の通信手段を制御する第１の通信制御手段と、
を備え、
前記撮像装置は、
前記第１の通信手段によって送信された前記撮像範囲を前記第２の通信手段によって受信させるよう制御する第２の通信制御手段と、
この第２の通信手段によって前記撮像範囲が受信されると、この撮像範囲で撮像するよう前記変更手段を制御して、前記撮像手段に連続的に撮像する処理を開始させるよう制御する撮像制御手段と、
前記撮像制御手段によって連続的に撮像された複数の合成用の画像を取得する取得手段と、
を備えることを特徴とする撮像システム。
［付記２］
前記制御装置は、
前記撮像手段によって前記撮像手段の撮像範囲の入力用に撮像され、前記第１の通信手段を介して取得した画像を前記表示手段に表示させるよう制御する表示制御手段と、
前記入力手段は、この表示制御手段によって前記表示手段に前記画像が表示されているときに前記撮像範囲を入力する、
ことを特徴とする付記１に記載の撮影システム。
［付記３］
前記表示制御手段は、前記撮像装置が撮像可能な範囲と画像とを比較可能に表示させるよう前記表示手段を制御する、
ことを特徴とする付記２に記載の撮影システム。
［付記４］
前記取得手段によって取得された前記複数の合成用の画像を合成して、合成画像を生成する合成手段を、前記撮像装置又は前記制御装置に備えること、
ことを特徴とする付記１乃至３のいずれか１つに記載の撮影システム。
［付記５］
前記第２の通信手段は、前記合成手段を前記撮像装置に備えていた場合に、合成された画像を前記制御装置へ送信するよう第２の通信手段を制御する、
ことを特徴とする付記４に記載の撮影システム。
［付記６］
前記第２の通信手段は、前記合成手段によって合成された画像を縮小して送信するよう第２の通信手段を制御する、
ことを特徴とする付記５に記載の撮影システム。
［付記７］
前記表示手段及び前記入力手段は、タッチパネルにより構成される、
ことを特徴とする付記１乃至６のいずれか１つに記載の撮影システム。
［付記８］
前記撮像手段は、インターバル撮影を行うこと、
を特徴とする付記１乃至７のいずれか１つに記載の撮影システム。
［付記９］
表示手段と入力手段と第１の通信手段とを備えた制御装置と、撮像手段とこの撮像手段の撮像方向を変更する変更手段と第２の通信手段とを備えた撮像装置と、からなる撮影システムで実行される撮影方法であって、
前記制御装置では、
前記入力手段による前記撮像手段の撮像範囲の入力を検出する検出ステップと、
この検出ステップによって検出された前記撮像範囲を前記撮像装置に送信するよう前記第１の通信手段を制御する第１の通信制御ステップと、
を含む、
前記撮像装置では、
前記第１の通信手段によって送信された前記撮像範囲を前記第２の通信手段によって受信させるよう制御する第２の通信制御ステップと、
この第２の通信手段によって前記撮像範囲が受信されると、この撮像範囲で撮像するよう前記変更手段を制御して、前記撮像手段に連続的に撮像する処理を開始させるよう制御する撮像制御ステップと、
前記撮像制御ステップによって連続的に撮像された複数の合成用の画像を取得する取得ステップと、
を含むことを特徴とする撮像方法。
［付記１０］
表示手段と入力手段と第１の通信手段とを備えた制御装置と、撮像手段とこの撮像手段の撮像方向を変更する変更手段と第２の通信手段とを備えた撮像装置を制御するコンピュータを、
前記制御装置においては、
前記入力手段による前記撮像手段の撮像範囲の入力を検出する検出手段、
この検出手段によって検出された前記撮像範囲を前記撮像装置に送信するよう前記第１の通信手段を制御する第１の通信制御手段、
として機能させ、
前記撮像装置においては、
前記第１の通信手段によって送信された前記撮像範囲を前記第２の通信手段によって受信させるよう制御する第２の通信制御手段、
この第２の通信手段によって前記撮像範囲が受信されると、この撮像範囲で撮像するよう前記変更手段を制御して、前記撮像手段に連続的に撮像する処理を開始させるよう制御する撮像制御手段、
前記撮像制御手段によって連続的に撮像された複数の合成用の画像を取得する取得手段、
として機能させることを特徴とするプログラム。
【符号の説明】
【０１０５】
１・・・撮像装置，２・・・撮像制御装置，１１・・・ＣＰＵ，１２・・・ＲＯＭ，１３・・・ＲＡＭ，１４・・・バス，１５・・・入出力インターフェース，１６・・・撮像部，１７・・・雲台部，１８・・・入力部，１９・・・表示部，２０・・・記憶部，２１・・・通信部，２２・・・ドライブ，３１・・・リムーバブルメディア，５１・・・指示検出部，５２・・・画像取得部，５３・・・通信制御部，５４・・・撮像管理部，５５・・・撮像制御部，５６・・・画像処理部，７１・・・撮像制御情報記憶部，７２・・・画像記憶部，９１・・・表示制御部，９２・・・通信制御部，９３・・・移動軌跡情報生成部，９４・・・入力検出部，１１１・・・画像記憶部，Ｓ・・・撮影システム
【図１】
2015185913.tif 000003
【図２】
2015185913.tif 000004
【図３】
2015185913.tif 000005
【図４】
2015185913.tif 000006
【図５】
2015185913.tif 000007